(57)【要約】【課題】ＥＯＧ等の滅菌ガスによる滅菌処理に際して、陰圧の影響により放射線検出器の本体の密封性が損なわれるのを未然に防止することができる放射線検出器を提供する。【解決手段】操作グリップ１の着脱部分Ａに配設された音声出力部７、電源スイッチ４および電源部３が操作グリップ１の本体部分Ｂに対して着脱自在に構成されているため、ＥＯＧ等の滅菌ガスによる滅菌処理に際し、着脱部分Ａごと音声出力部７、電源スイッチ４および電源部３を取り外すことで、音声出力部７、電源スイッチ４および電源部３を除いた放射線検出器をＥＯＧ等の滅菌ガスで滅菌処理することが可能となり、音声出力部７の陰圧に起因する破損が未然に防止される。【選択図】　　　　図２
2004109096.tif 000002
【特許請求の範囲】
【請求項１】
放射線強度を検出する放射線検出部が本体に突設され、前記放射線検出部により検出される放射線強度に応じた音声を出力する音声出力部と、少なくとも前記放射線検出部および音声出力部に給電する電源部とが前記本体側に設けられている放射線検出器であって、前記音声出力部が前記本体に対して着脱自在に構成されていることを特徴とする放射線検出器。
【請求項２】
放射線強度を検出する放射線検出部が本体に突設され、少なくとも前記放射線検出部に給電する電源部と、この電源部をオン・オフする電源スイッチ部とが前記本体側に設けられている放射線検出器であって、前記電源スイッチ部が前記本体に対して着脱自在に構成されていることを特徴とする放射線検出器。
【請求項３】
放射線強度を検出する放射線検出部が本体に突設され、少なくとも前記放射線検出部に給電するバッテリーを内蔵した電源部と、この電源部をオン・オフする電源スイッチ部とが一体部品として前記本体側に設けられている放射線検出器であって、前記電源部と前記電源スイッチ部との一体部品が前記本体に対して着脱自在に構成されていることを特徴とする放射線検出器。
【請求項４】
放射線強度を検出する放射線検出部が本体に突設され、前記放射線検出部の検出感度を変更可能な検出感度可変部と、放射線検出部により検出された放射線強度を表示する音声表示や画像表示を変更可能な表示可変部とが前記本体側に設けられている放射線検出器であって、前記検出感度可変部および前記表示可変部が前記本体に対して着脱自在に構成されていることを特徴とする放射線検出器。
【請求項５】
請求項１〜４の何れかに記載の放射線検出器であって、前記音声出力部、前記電源スイッチ部、前記電源部と前記電源スイッチ部との一体部品、または、前記検出感度可変部および前記表示可変部は、本体側の接続コネクタに着脱自在に接続される接続コネクタを備え、この接続コネクタを介して本体に着脱自在に構成されていることを特徴とする放射線検出器。
【請求項６】
請求項１〜４の何れかに記載の放射線検出器であって、前記音声出力部、前記電源スイッチ部、前記電源部と前記電源スイッチ部との一体部品、または、前記検出感度可変部および前記表示可変部が本体に対してねじ止めにより着脱自在に構成されていることを特徴とする放射線検出器。
【請求項７】
請求項１〜４の何れかに記載の放射線検出器であって、前記音声出力部、前記電源スイッチ部、前記電源部と前記電源スイッチ部との一体部品、または、前記検出感度可変部および前記表示可変部は、本体側の係合部に着脱自在に係合する係合部を備え、この係合部を介して本体に着脱自在に構成されていることを特徴とする放射線検出器。
【発明の詳細な説明】
【０００１】
【発明の属する技術分野】
本発明は、放射線検出器の筐体の接合部がＯリング、ガスケット、溶接または接着などの手段により密封構造とされている放射線検出器に関し、主に、滅菌処理に適するように改良された放射線検出器に関するものである。
【０００２】
【従来の技術】
放射線を検出する放射線検出器として、ハンディタイプのプローブを備えた医療用の放射線検出器が従来知られている（例えば特許文献１参照）。この放射線検出器は、電源としてのバッテリーや電源スイッチの他、検出した放射線強度に応じて音声を出力する音声出力部を備えている。
【０００３】
【特許文献１】
米国特許ＵＳ００６２３６８８０Ｂ１
【０００４】
ここで、医療用に使用されるこの種の放射線検出器、例えば放射性薬剤を用いた乳癌の転移巣検出などに使用されるサージカルプローブ等においては、プローブが患者に直接触れることから、プローブを滅菌処理する必要も生じる。この場合、滅菌処理としては、例えばエチレンオキサイドガス（以下、ＥＯＧという）等の滅菌ガスを使用する滅菌処理が一般的である。この滅菌処理は、耐圧容器内に放射線検出器を収容して耐圧容器内を陰圧化し、この耐圧容器内にＥＯＧ等の滅菌ガスを導入することにより、内部が陰圧化した放射線検出器の細部まで滅菌ガスを行き渡らせて滅菌する処理である。
【０００５】
【発明が解決しようとする課題】
ところで、一般的な放射線検出器は、ＥＯＧ等の滅菌ガスによる滅菌処理に対応するために、筐体の接合部がＯリング、ガスケット、溶接または接着などの手段により密封構造とされている。しかしながら、実際にＥＯＧ等の滅菌ガスによる滅菌処理を放射線検出器に施す際には、陰圧の影響により音声出力部のスピーカ等が破損することがある。この場合、放射線検出器は本体の密封性が損なわれ、破損部から放射線検出器の内部全体がＥＯＧ等の滅菌ガスに晒される結果、各種電極部の劣化や腐食を招き、さらには、放射線検出器の全体が破損してしまう虞がある。
【０００６】
また、電源スイッチ部に機械的切換え式の電源スイッチを採用している放射線検出器においては、ＥＯＧ等の滅菌ガスによる滅菌処理を施す際に、陰圧の影響により電源スイッチの隙間から放射線検出器の内部にＥＯＧ等の滅菌ガスが浸入することがある。この場合、放射線検出器は本体の密封性が損なわれ、放射線検出器の内部全体がＥＯＧ等の滅菌ガスに晒される結果、各種電極部の劣化や腐食を招き、さらには、放射線検出器の全体が破損してしまう虞がある。それに加えて、電源スイッチの隙間部分の滅菌が不十分になる虞もある。
【０００７】
さらに、電源としてのバッテリーは、種類によっては密封構造が取れないものもあり、筐体の接合部が密封構造とされた放射線検出器においては、使用できるバッテリーの種類が限定されるという問題もある。
【０００８】
また、放射線の検出感度を変更可能な検出感度可変部あるいは放射線強度を表示する音声表示や画像表示を変更可能な表示可変部を構成するボタン、ダイヤル、つまみ等が付設されている放射線検出器においては、ＥＯＧ等の滅菌ガスによる滅菌処理を施す際に、陰圧の影響によりボタン、ダイヤル、つまみ等と本体部との隙間から放射線検出器の内部にＥＯＧ等の滅菌ガスが浸入することがある。この場合、放射線検出器は本体の密封性が損なわれ、放射線検出器の内部全体がＥＯＧ等の滅菌ガスに晒される結果、各種電極部の劣化や腐食を招き、さらには、放射線検出器の全体が破損してしまう虞がある。それに加えて、ボタン、ダイヤル、つまみ等と本体部との隙間部分の滅菌が不十分になる虞もある。
【０００９】
そこで、本発明は、ＥＯＧ等の滅菌ガスによる滅菌処理に際して、陰圧の影響により放射線検出器の本体の密封性が損なわれるのを未然に防止することができる放射線検出器を提供することを課題とする。
【００１０】
【課題を解決するための手段】
本発明に係る放射線検出器は、放射線強度を検出する放射線検出部が本体に突設され、放射線検出部により検出される放射線強度に応じた音声を出力する音声出力部と、少なくとも放射線検出部および音声出力部に給電する電源部とが本体側に設けられている放射線検出器であって、音声出力部が本体に対して着脱自在に構成されていることを特徴とする。
【００１１】
この放射線検出器では、本体から音声出力部を取り外すことで、音声出力部を除いた本体および放射線検出部のみをＥＯＧ等の滅菌ガスで滅菌処理することが可能となり、音声出力部の陰圧に起因する破損が未然に防止される。その結果、放射線検出器の本体の密封性が損なわれる事態が未然に防止される。
【００１２】
また、本発明に係る放射線検出器は、放射線強度を検出する放射線検出部が本体に突設され、少なくとも放射線検出部に給電する電源部と、この電源部をオン・オフする電源スイッチ部とが本体側に設けられている放射線検出器であって、電源スイッチ部が本体に対して着脱自在に構成されていることを特徴とする。
【００１３】
この係る放射線検出器では、本体から電源スイッチ部を取り外すことで、電源スイッチ部を除いた本体および放射線検出部のみをＥＯＧ等の滅菌ガスで滅菌処理することが可能となる。この場合、電源スイッチ部を密封構造とする必要がないため、ディップスイッチ等の機械的切換え式のスイッチの採用が可能となる。
【００１４】
さらに、本発明に係る放射線検出器は、放射線強度を検出する放射線検出部が本体に突設され、少なくとも放射線検出部に給電するバッテリーを内蔵した電源部と、この電源部をオン・オフする電源スイッチ部とが一体部品として本体側に設けられている放射線検出器であって、電源部と電源スイッチ部との一体部品が本体に対して着脱自在に構成されていることを特徴とする。
【００１５】
この放射線検出器では、本体から電源部と電源スイッチ部との一体部品を取り外すことで、電源部と電源スイッチ部との一体部品を除いた本体および放射線検出部のみをＥＯＧ等の滅菌ガスで滅菌処理することが可能となる。この場合、電源スイッチ部を密封構造とする必要がないため、ディップスイッチ等の機械的切換え式のスイッチの採用が可能となる。また、電源部を密封構造とする必要がないため、密封下での使用が禁じられているニッケル水素電池などの使用も可能となる。また、バッテリーの交換が容易であるため、放射線検出器を交換することなく長時間に亘って使用することが可能となる。
【００１６】
また、本発明に係る放射線検出器は、放射線強度を検出する放射線検出部が本体に突設され、前記放射線検出部の検出感度を変更可能な検出感度可変部と、放射線検出部により検出された放射線強度を表示する音声表示や画像表示を変更可能な表示可変部とが前記本体側に設けられている放射線検出器であって、前記検出感度可変部および前記表示可変部が前記本体に対して着脱自在に構成されていることを特徴とする。
【００１７】
この放射線検出器では、本体から検出感度可変部および表示可変部を取り外すことで、検出感度可変部および表示可変部を除いた本体および放射線検出部のみをＥＯＧ等の滅菌ガスで滅菌処理することが可能となる。この場合、検出感度可変部および表示可変部を密封構造とする必要がないため、検出感度可変部および表示可変部の構成部品として、通常のボタン、ダイヤル、つまみ等の採用が可能となる。
【００１８】
ここで、音声出力部、電源スイッチ部、電源部と電源スイッチ部との一体部品、または、検出感度可変部および表示可変部は、本体側の接続コネクタに着脱自在に接続される接続コネクタを備えることにより、この接続コネクタを介して本体に着脱自在に構成することができる。また、音声出力部、電源スイッチ部、電源部と電源スイッチ部との一体部品、または、検出感度可変部および表示可変部は、本体に対してねじ止めにより着脱自在に構成することができる。さらに、音声出力部、電源スイッチ部、電源部と電源スイッチ部との一体部品、または、検出感度可変部および表示可変部は、本体側の係合部に着脱自在に係合する係合部を備えることにより、この係合部を介して本体に着脱自在に構成することができる。
【００１９】
【発明の実施の形態】
以下、図面を参照して本発明に係る放射線検出器の実施の形態を説明する。参照する図面において、図１は本発明の第１実施形態に係る放射線検出器の概略構造を示す縦断面図、図２は図１に示した放射線検出器の作用説明図である。
【００２０】
第１実施形態に係る放射線検出器は、図１に示すように、手に握られて操作される操作グリップ１を本体とし、この操作グリップ１の先端側に放射線検出部としての放射線検出プローブ２が突設されたハンディなコードレスタイプのサージカルプローブとして構成されており、例えば、放射性薬剤を用いた乳癌の転移巣検出などの目的で使用される。
【００２１】
この放射線検出器は、中空に形成された操作グリップ１の内部に電源部３、電源スイッチ部４、制御部５、液晶表示部６、音声出力部７などを備えている。ここで、制御部５の殆どの部分および液晶表示部６は、操作グリップ１の先端部内に配置されており、液晶表示部６の液晶パネル６Ａは操作グリップ１の先端部の周面に臨んで配置されている。また、音声出力部７および電源スイッチ部４は、操作グリップ１の基端部内に上下に配置されている。そして、電源スイッチ部４の前方の操作グリップ１の下部内に電源部３が配置されている。
【００２２】
放射線検出プローブ２は、放射線強度を検出する放射線検出素子２Ａをキャップ状のプローブカバー２Ｂ内に気密に内蔵した気密構造のプローブとして構成されている。放射線検出素子２Ａは、放射線フォトンのエネルギに応じた波高値を持つ電圧パルスを発生する半導体素子であり、リード線２Ｃを介して操作グリップ１側の制御部５に電気的に接続されている。
【００２３】
電源部３は、バッテリー３Ａを電源として内蔵しており、電源スイッチ部４のオンにより、放射線検出プローブ２、液晶表示部６、音声出力部７などへ制御部５を介して給電するように構成されている。
【００２４】
制御部５は、図示しない電源回路、信号処理回路、駆動回路などを備えており、放射線検出プローブ２の放射線検出素子２Ａが放射線強度に応じて出力する検出パルス信号を入力する。この制御部５は、検出パルス信号を所定閾値により波高弁別することにより入力パルス信号を出力し、入力パルス信号を信号処理回路で処理することにより、入力パルス数の増減に応じた駆動信号を液晶表示部６および音声出力部７にそれぞれ個別に出力する。すなわち、液晶表示部６には入力パルス数の増減に応じた液晶駆動信号を出力し、音声出力部７には入力パルス数の増減に応じた周波数変調音またはビープ音のスピーカ駆動信号を出力する。
【００２５】
液晶表示部６は、制御部５からの液晶駆動信号に基づき、放射線検出素子２Ａが検出した放射線強度のデータを液晶パネル６Ａに表示する。一方、音声出力部７は、制御部５からのスピーカ駆動信号に基づき、放射線検出素子２Ａが検出した放射線強度を示す周波数変調音またはビープ音をスピーカ７Ａから発声する。
【００２６】
ここで、第１実施形態の放射線検出器においては、音声出力部７、電源スイッチ部４および電源部３の一体部品が本体としての操作グリップ１に対して着脱自在に構成される。そのための構造として、操作グリップ１は、図２に示すように、着脱部分Ａとその他の本体部分Ｂとに分割して構成されている。この着脱部分Ａは、音声出力部７および電源スイッチ部４を収容したグリップエンド部１Ａと、電源部３を収容したグリップボディ下部１Ｂとを一体成形した部分であり、開口部のない独立した容器として構成されている。また、本体部分Ｂも開口部のない独立した容器として構成されている。
【００２７】
そして、操作グリップ１の本体部分Ｂに着脱部分Ａを着脱自在とするため、着脱部分Ａのグリップボディ下部１Ｂの先端面には、バッテリー３Ａにリード線３Ｂを介して接続される電源部接続コネクタ３Ｃが配設されている。また、着脱部分Ａのグリップエンド部１Ａの前端面には、スピーカ７Ａにリード線７Ｂを介して接続される一対のスピーカ接続コネクタ７Ｃと、電源スイッチ部４の電源スイッチ４Ａの一方の端子にリード線４Ｂを介して接続される一方のスイッチ接続コネクタ４Ｃとが配設されている。
【００２８】
なお、電源スイッチ４Ａに他方の端子にリード線４Ｄを介して接続される他方のスイッチ接続コネクタ４Ｅは、電源部３のバッテリー３Ａの電極に直接接続されている。
【００２９】
一方、操作グリップ１の本体部分Ｂにおいて、着脱部分Ａのグリップボディ下部１Ｂの先端面に接合する面には、着脱部分Ａ側の電源部接続コネクタ３Ｃが着脱自在に接続される電源部接続コネクタ３Ｄが配設されている。また、着脱部分Ａのグリップエンド部１Ａの前端面に接合する面には、着脱部分Ａ側のスピーカ接続コネクタ７Ｃおよび一方のスイッチ接続コネクタ４Ｃがそれぞれ着脱自在に接続されるスピーカ接続コネクタ７Ｄおよびスイッチ接続コネクタ４Ｆが配設されている。これらの電源部接続コネクタ３Ｄ、スピーカ接続コネクタ７Ｄおよびスイッチ接続コネクタ４Ｆは、それぞれリード線３Ｅ，７Ｅ，４Ｇを介して制御部５に接続されている。
【００３０】
ここで、着脱部分Ａ側の電源部接続コネクタ３Ｃは、本体部分Ｂ側の電源部接続コネクタ３Ｄに対し、ピンとソケットの嵌合によりクリック感をもって確実に着脱されるように構成されている。また、着脱部分Ａ側のスピーカ接続コネクタ７Ｃは、本体部分Ｂ側のスピーカ接続コネクタ７Ｄに対し、ピンとソケットの嵌合によりクリック感をもって確実に着脱されるように構成されている。同様に、着脱部分Ａ側のスイッチ接続コネクタ４Ｃは、本体部分Ｂ側のスイッチ接続コネクタ４Ｆに対し、ピンとソケットの嵌合によりクリック感をもって確実に着脱されるように構成されている。そして、これらの接続状態において、操作グリップ１の本体部分Ｂに着脱部分Ａが一体化される（図１参照）。
【００３１】
以上のように構成された第１実施形態の放射線検出器は、例えば、放射性薬剤を用いた乳癌の転移巣検出などに使用される。この使用例において、放射線検出プローブ２の先端を患者の被測定部位に向けると、被測定部位からの放射線が放射線検出素子２Ａに入射し、放射線検出素子２Ａが入射された放射線強度に応じた検出パルス信号を操作グリップ１側の制御部５に出力する。
【００３２】
放射線検出素子２Ａから検出パルス信号を入力した制御部５は、入力パルス数がスピーカ７Ａを駆動するための所定の閾値を超えると、スピーカ７Ａにスピーカ駆動信号を出力して周波数変調音またはビープ音を発声させる。同様に、液晶表示部６に液晶駆動信号を出力して液晶パネル６Ａに放射線強度に応じたデータを表示させる。
【００３３】
ここで、第１実施形態の放射線検出器は、放射性薬剤を用いた乳癌の転移巣検出などに使用される関係から、その使用に当たって予めＥＯＧ等の滅菌ガスにより滅菌処理される。この滅菌処理は、耐圧容器内に放射線検出器を収容して耐圧容器内を陰圧化し、この耐圧容器内にＥＯＧ等の滅菌ガスを導入することにより、内部が陰圧化した放射線検出器の細部まで滅菌ガスを行き渡らせて滅菌する処理である。
【００３４】
その際、第１実施形態の放射線検出器においては、グリップエンド部１Ａとグリップボディ下部１Ｂとが一体に成形された着脱部分Ａを操作グリップ１の本体部分Ｂから取り外し、音声出力部７、電源スイッチ４および電源部３を除いた操作グリップ１の本体部分Ｂおよび放射線検出プローブ２のみがＥＯＧ等の滅菌ガスで滅菌処理される。
【００３５】
このように、第１実施形態の放射線検出器によれば、操作グリップ１の着脱部分Ａごと音声出力部７、電源スイッチ部４および電源部３を取り外した状態でＥＯＧ等の滅菌ガスによる滅菌処理を行うことができる。このため、音声出力部７のスピーカ７Ａが耐圧容器内の陰圧により破損する事態を未然に防止することができる。
【００３６】
また、電源スイッチ部４を密封構造とする必要がないため、電源スイッチ４Ａとして、ディップスイッチ等の機械的切換え式のスイッチを採用することができる。
【００３７】
さらに、電源部３を密封構造とする必要がないため、密封下での使用が禁じられているニッケル水素電池などをバッテリー３Ａとして使用することができる。また、バッテリー３Ａを含む電源部３を着脱部分Ａごと交換することができるため、放射線検出器の全体を交換することなく長時間に亘って使用することができる。
【００３８】
次に本発明に係る放射線検出器の他の実施形態を順次説明する。これらの実施形態は、図１および図２に示した第１実施形態を基本としているため、同様の構成部分については、同一の符号を付してその詳細な説明を省略する。
【００３９】
第２実施形態に係る放射線検出器は、音声出力部７と電源部３との一体部品が本体としての操作グリップ１に対して着脱自在に構成されたものである。この放射線検出器では、図３および図４に示すように、第１実施形態の放射線検出器（図１、図２参照）における操作グリップ１の着脱部分Ａ側のグリップエンド部１Ａ内に配設された電源スイッチ部４（図２参照）に代わる電源スイッチ部８が操作グリップ１の本体部分Ｂにおける液晶表示部６の後方に配設されている。その関係で、着脱部分Ａのグリップボディ下部１Ｂの先端面には、バッテリー３Ａに一対のリード線３Ｂを介して接続される一対の電源部接続コネクタ３Ｃが配設されている。
【００４０】
これに対応して、操作グリップ１の本体部分Ｂにおける着脱部分Ａのグリップボディ下部１Ｂの先端面に接合する面には、着脱部分Ａ側の一対の電源部接続コネクタ３Ｃが着脱自在に接続される一対の電源部接続コネクタ３Ｄが配設されている。そして、この一対の電源部接続コネクタ３Ｄが電源スイッチ部８を介して制御部５に接続されている。
【００４１】
この第２実施形態の放射線検出器においては、着脱部分Ａ側の一対の電源部接続コネクタ３Ｃが本体部分Ｂ側の一対の電源部接続コネクタ３Ｄに接続され、かつ、着脱部分Ａ側の一対のスピーカ接続コネクタ７Ｃが本体部分Ｂ側の一対のスピーカ接続コネクタ７Ｄに接続されることで、操作グリップ１の本体部分Ｂに着脱部分Ａが一体化される（図３参照）。
【００４２】
この第２実施形態の放射線検出器によれば、操作グリップ１の着脱部分Ａごと音声出力部７および電源部３を取り外した状態でＥＯＧ等の滅菌ガスによる滅菌処理を行うことができるため、音声出力部７のスピーカ７Ａが耐圧容器内の陰圧により破損する事態を未然に防止することができる。また、電源部３を密封構造とする必要がないため、密封下での使用が禁じられているニッケル水素電池などをバッテリー３Ａとして使用することができる。そして、バッテリー３Ａを含む電源部３を着脱部分Ａごと交換することができるため、放射線検出器の全体を交換することなく長時間に亘って使用することができる。
【００４３】
第３実施形態に係る放射線検出器は、音声出力部７と電源部３との一体部品が本体としての操作グリップ１に対して着脱自在に構成されたものである。この放射線検出器は、図５および図６に示すように、第２実施形態の放射線検出器（図３、図４参照）における着脱部分Ａ側の一対のスピーカ接続コネクタ７Ｃ（図４参照）を着脱部分Ａのグリップボディ下部１Ｂの先端面に左右に並べて配設し、また、グリップボディ下部１Ｂの先端面に配設される一対の電源部接続コネクタ３Ｃを左右に並べて配置したものである。これに対応して、第３実施形態に係る放射線検出器においては、第２実施形態の放射線検出器における本体部分Ｂ側の一対のスピーカ接続コネクタ７Ｄが本体部分Ｂにおける着脱部分Ａのグリップボディ下部１Ｂの先端面に接合する面に左右に並べて配設される。また、この接合面に配設される一対の電源部接続コネクタ３Ｄも左右に並べて配置されている。
【００４４】
この第３実施形態の放射線検出器においては、着脱部分Ａ側の一対の電源部接続コネクタ３Ｃが本体部分Ｂ側の一対の電源部接続コネクタ３Ｄに接続され、かつ、着脱部分Ａ側の一対のスピーカ接続コネクタ７Ｃが本体部分Ｂ側の一対のスピーカ接続コネクタ７Ｄに接続されることで、操作グリップ１の本体部分Ｂに着脱部分Ａが一体化される（図５参照）。
【００４５】
なお、この第３実施形態の放射線検出器においては、本体部分Ｂに対する着脱部分Ａの装着状態をより確実なものとするため、例えば、着脱部分Ａのグリップエンド部１Ａの前端面と、これに接合する本体部分Ｂの接合面との間に係合ピンＣと係合孔Ｄによる凹凸係合部を設けるのが好ましい。また、着脱部分Ａのグリップボディ下部１Ｂの上面と、これに接合する本体部分Ｂの接合面との間にアリ溝などの溝嵌合部を設けてもよい。
【００４６】
この第３実施形態の放射線検出器によれば、操作グリップ１の着脱部分Ａごと音声出力部７および電源部３を取り外した状態でＥＯＧ等の滅菌ガスによる滅菌処理を行うことができるため、音声出力部７のスピーカ７Ａが耐圧容器内の陰圧により破損する事態を未然に防止することができる。また、電源部３を密封構造とする必要がないため、密封下での使用が禁じられているニッケル水素電池などをバッテリー３Ａとして使用することができる。そして、バッテリー３Ａを含む電源部３を着脱部分Ａごと交換することができるため、放射線検出器の全体を交換することなく長時間に亘って使用することができる。
【００４７】
第４実施形態に係る放射線検出器は、音声出力部７および電源スイッチ部４の一体部品と、バッテリー部３Ｊとが本体としての操作グリップ１に対して着脱自在に構成されたものである。この放射線検出器は、図７および図８に示すように、第１実施形態の放射線検出器（図１、図２参照）における着脱部分Ａ（図２参照）をグリップエンド部１Ａのみとし、グリップボディ下部１Ｂは操作グリップ１の本体部分Ｂに一体に形成したものであり、この本体部分Ｂ側のグリップボディ下部１Ｂ内に電源部３が配設されている。
【００４８】
この電源部３は、バッテリー３Ａの両極に予めリード線３Ｆ，３Ｆを介してバッテリー接続コネクタ３Ｇ，３Ｈが接続されたバッテリー部３Ｊを備えている。このバッテリー部３Ｊは、本体部分Ｂ側のグリップボディ下部１Ｂ内に配設された電源部接続コネクタ３Ｋに一端のバッテリー接続コネクタ３Ｇが着脱自在に接続され、他端のバッテリー接続コネクタ３Ｈに着脱部分Ａ側の他方のスイッチ接続コネクタ４Ｅが着脱自在に接続されるように構成されている。
【００４９】
この第４実施形態の放射線検出器においては、着脱部分Ａ側の一対のスピーカ接続コネクタ７Ｃが本体部分Ｂ側の一対のスピーカ接続コネクタ７Ｄに接続されると共に、着脱部分Ａ側の一方のスイッチ接続コネクタ４Ｃが本体部分Ｂ側の一方のスイッチ接続コネクタ４Ｆに接続され、かつ、他方のスイッチ接続コネクタ４Ｅがバッテリー部３Ｊのバッテリー接続コネクタ３Ｈに着脱自在に接続されることにより、操作グリップ１の本体部分Ｂに着脱部分Ａが一体化される（図７参照）。
【００５０】
この第４実施形態の放射線検出器によれば、操作グリップ１の着脱部分Ａごと音声出力部７および電源スイッチ部４を取り外すと共に、操作グリップ１の本体部分Ｂからバッテリー部３Ｊを取り外した状態でＥＯＧ等の滅菌ガスによる滅菌処理を行うことができるため、音声出力部７のスピーカ７Ａが耐圧容器内の陰圧により破損する事態を未然に防止することができる。
【００５１】
また、電源スイッチ部４を密封構造とする必要がないため、電源スイッチ４Ａとして、ディップスイッチ等の機械的切換え式のスイッチを採用することができる。さらに、バッテリー部３Ｊが着脱自在であるため、バッテリー３Ａとして密封下での使用が禁じられているニッケル水素電池などを使用することができ、バッテリー部３Ｊを交換することにより、放射線検出器の全体を交換することなく長時間に亘って使用することができる。
【００５２】
第５実施形態に係る放射線検出器は、音声出力部７および電源スイッチ部４の一体部品と、バッテリー３Ａとが本体としての操作グリップ１に対して着脱自在に構成されたものである。図９および図１０に示すように、第４実施形態の放射線検出器（図７、図８参照）におけるバッテリー部３Ｊの代わりにバッテリー３Ａのみを交換可能に構成したものであり、バッテリー３Ａの一方の電極は本体部分Ｂ側のグリップボディ下部１Ｂに配設された電源部接続コネクタ３Ｋに接続され、他方の電極は着脱部分Ａ側のスイッチ接続コネクタ４Ｅに接続されるように構成されている。
【００５３】
この第５実施形態の放射線検出器においては、着脱部分Ａ側の一対のスピーカ接続コネクタ７Ｃが本体部分Ｂ側の一対のスピーカ接続コネクタ７Ｄに接続されると共に、着脱部分Ａ側の一方のスイッチ接続コネクタ４Ｃが本体部分Ｂ側の一方のスイッチ接続コネクタ４Ｆに接続され、かつ、他方のスイッチ接続コネクタ４Ｅがバッテリー３Ａの他方の電極に接続されることで、操作グリップ１の本体部分Ｂに着脱部分Ａが一体化される（図９参照）。
【００５４】
この第５実施形態の放射線検出器によれば、操作グリップ１の着脱部分Ａごと音声出力部７および電源スイッチ部４を取り外すと共に、操作グリップ１の本体部分Ｂからバッテリー３Ａを取り外した状態でＥＯＧ等の滅菌ガスによる滅菌処理を行うことができるため、音声出力部７のスピーカ７Ａが耐圧容器内の陰圧により破損する事態を未然に防止することができる。
【００５５】
また、電源スイッチ部４を密封構造とする必要がないため、電源スイッチ４Ａとして、ディップスイッチ等の機械的切換え式のスイッチを採用することができる。さらに、バッテリー３Ａが着脱自在であるため、バッテリー３Ａとして密封下での使用が禁じられているニッケル水素電池などを使用することができ、バッテリー３Ａを交換することにより、放射線検出器の全体を交換することなく長時間に亘って使用することができる。
【００５６】
第６実施形態に係る放射線検出器は、音声出力部７とバッテリー部３とがそれぞれ本体としての操作グリップ１に対して着脱自在に構成されたものである。この放射線検出器では、図１１および図１２に示すように、第４実施形態の放射線検出器（図７、図８参照）における操作グリップ１の着脱部分Ａ側のグリップエンド部１Ａ内に配設された電源スイッチ部４（図８参照）に代わる電源スイッチ部８が操作グリップ１の本体部分Ｂにおける液晶表示部６の後方に配設されている。その関係で、着脱部分Ａを構成するグリップエンド部１Ａの前端面には、バッテリー部３Ｊのバッテリー接続コネクタ３Ｈに着脱自在に接続される電源部接続コネクタ３Ｌが配設されている。これに対応して、操作グリップ１の本体部分Ｂにおける着脱部分Ａのグリップエンド部１Ａの前端面に接合する面には、電源部接続コネクタ３Ｌに接触する電源接続端子３Ｍが配設されている。
【００５７】
この第６実施形態の放射線検出器においては、着脱部分Ａ側の一対のスピーカ接続コネクタ７Ｃが本体部分Ｂ側の一対のスピーカ接続コネクタ７Ｄに接続されると共に、着脱部分Ａ側の電源部接続コネクタ３Ｌがバッテリー部３Ｊのバッテリー接続コネクタ３Ｈに着脱自在に接続されることで、操作グリップ１の本体部分Ｂに着脱部分Ａが一体化される（図１１参照）。
【００５８】
この第６実施形態の放射線検出器によれば、操作グリップ１の着脱部分Ａごと音声出力部７を取り外すと共に、操作グリップ１の本体部分Ｂからバッテリー部３Ｊを取り外した状態でＥＯＧ等の滅菌ガスによる滅菌処理を行うことができるため、音声出力部７のスピーカ７Ａが耐圧容器内の陰圧により破損する事態を未然に防止することができる。
【００５９】
また、バッテリー部３Ｊが着脱自在であるため、バッテリー３Ａとして密封下での使用が禁じられているニッケル水素電池などを使用することができ、バッテリー部３Ｊを交換することにより、放射線検出器の全体を交換することなく長時間に亘って使用することができる。
【００６０】
第７実施形態に係る放射線検出器は、音声出力部７とバッテリー３Ａとがそれぞれ本体としての操作グリップ１に対して着脱自在に構成されたものである。この放射線検出器は、図１３および図１４に示すように、第６実施形態の放射線検出器（図１１、図１２参照）におけるバッテリー部３Ｊの代わりにバッテリー３Ａのみを交換可能に構成したものであり、バッテリー３Ａの一方の電極は本体部分Ｂ側のグリップボディ下部１Ｂ内に配設された電源部接続コネクタ３Ｋに接続され、他方の電極は着脱部分Ａ側の電源部接続コネクタ３Ｌに着脱自在に接続されるように構成されている。
【００６１】
この第７実施形態の放射線検出器によれば、操作グリップ１の着脱部分Ａごと音声出力部７を取り外すと共に、操作グリップ１の本体部分Ｂからバッテリー３Ａを取り外した状態でＥＯＧ等の滅菌ガスによる滅菌処理を行うことができるため、音声出力部７のスピーカ７Ａが耐圧容器内の陰圧により破損する事態を未然に防止することができる。
【００６２】
また、バッテリー３Ａが着脱自在であるため、バッテリー３Ａとして密封下での使用が禁じられているニッケル水素電池などを使用することができ、バッテリー３Ａを交換することにより、放射線検出器の全体を交換することなく長時間に亘って使用することができる。
【００６３】
第８実施形態に係る放射線検出器は、音声出力部７と電源スイッチ部４との一体部品が本体としての操作グリップ１に対して着脱自在に構成されたものである。この放射線検出器は、図１５および図１６に示すように、第５実施形態の放射線検出器（図９、図１０参照）における操作グリップ１の着脱部分Ａを構成するグリップエンド部１Ａのみを着脱自在に構成したものである。
【００６４】
この第８実施形態の放射線検出器においては、着脱部分Ａ側の一対のスピーカ接続コネクタ７Ｃが本体部分Ｂ側の一対のスピーカ接続コネクタ７Ｄに接続されると共に、着脱部分Ａ側の一方のスイッチ接続コネクタ４Ｃが本体部分Ｂ側の一方のスイッチ接続コネクタ４Ｆに接続され、かつ、他方のスイッチ接続コネクタ４Ｅがバッテリー３Ａの他方の電極に接続されることで、操作グリップ１の本体部分Ｂに着脱部分Ａが一体化される（図１５参照）。
【００６５】
この第８実施形態の放射線検出器によれば、操作グリップ１の着脱部分Ａごと音声出力部７および電源スイッチ部４を取り外した状態でＥＯＧ等の滅菌ガスによる滅菌処理を行うことができるため、音声出力部７のスピーカ７Ａが耐圧容器内の陰圧により破損する事態を未然に防止することができる。
【００６６】
また、電源スイッチ部４を密封構造とする必要がないため、電源スイッチ４Ａとして、ディップスイッチ等の機械的切換え式のスイッチを採用することができる。
【００６７】
第９実施形態に係る放射線検出器は、音声出力部７が本体としての操作グリップ１に対して着脱自在に構成されたものである。この放射線検出器は、図１７および図１８に示すように、第７実施形態の放射線検出器（図１３、図１４参照）における操作グリップ１の着脱部分Ａを構成するグリップエンド部１Ａのみを着脱自在に構成したものである。
【００６８】
この第９実施形態の放射線検出器においては、着脱部分Ａ側の一対のスピーカ接続コネクタ７Ｃが本体部分Ｂ側の一対のスピーカ接続コネクタ７Ｄに接続されることで、操作グリップ１の本体部分Ｂに着脱部分Ａが一体化される（図１７参照）。
【００６９】
この第９実施形態の放射線検出器によれば、操作グリップ１の着脱部分Ａごと音声出力部７を取り外した状態でＥＯＧ等の滅菌ガスによる滅菌処理を行うことができるため、音声出力部７のスピーカ７Ａが耐圧容器内の陰圧により破損する事態を未然に防止することができる。
【００７０】
第１０実施形態に係る放射線検出器は、音声出力部７とバッテリー３Ａとがそれぞれ本体としての操作グリップ１に対して着脱自在に構成されたものである。この放射線検出器は、図１９および図２０に示すように、第７実施形態の放射線検出器（図１３、図１４参照）における操作グリップ１の着脱部分Ａを構成するグリップエンド部１Ａを操作グリップ１の本体部分Ｂに対して止ネジ９により着脱自在に構成すると共に、操作グリップ１の本体部分Ｂを構成するグリップボディ下部１Ｂにバッテリー３Ａを挿入できる開口部１Ｃを形成し、この開口部１Ｃを覆うバッテリーカバー１Ｄを止ネジ１０によりグリップボディ下部１Ｂに着脱自在に装着したものである。
【００７１】
この第１０実施形態の放射線検出器によれば、止ネジ９の取り外しにより操作グリップ１の着脱部分Ａごと音声出力部７を本体部分Ｂから取り外すと共に、止ネジ１０の取り外しにより本体部分Ｂのグリップボディ下部１Ｂからバッテリーカバー１Ｄを取り外してバッテリー３Ａを取り出し、この状態でＥＯＧ等の滅菌ガスによる滅菌処理を行うことができる。
【００７２】
このため、音声出力部７のスピーカ７Ａが耐圧容器内の陰圧により破損する事態を未然に防止することができる。また、バッテリー３Ａが着脱自在であるため、バッテリー３Ａとして密封下での使用が禁じられているニッケル水素電池などを使用することができ、バッテリー３Ａを交換することにより、放射線検出器の全体を交換することなく長時間に亘って使用することができる。
【００７３】
第１１実施形態に係る放射線検出器は、音声出力部７が本体としての操作グリップ１に対して着脱自在に構成されたものである。この放射線検出器は、図２１および図２２に示すように、第９実施形態の放射線検出器（図１７、図１８参照）における操作グリップ１の着脱部分Ａを構成するグリップエンド部１Ａに外部電源供給ケーブル１１が着脱自在に接続される外部電源接続コネクタ１１Ａと、この外部電源接続コネクタ１１Ａにリード線１１Ｂを介して接続された電源部接続コネクタ１１Ｃとを配設したものであり、バッテリー３Ａは不要とされている。
【００７４】
電源部接続コネクタ１１Ｃは、グリップエンド部１Ａの前端面に配設されており、これに対応して、操作グリップ１の本体部分Ｂにおけるグリップエンド部１Ａの前端面に接合する面には、電源スイッチ部８を介して制御部５に接続される電源部接続コネクタ１１Ｄが配設されている。
【００７５】
この第１１実施形態の放射線検出器においては、着脱部分Ａ側の一対のスピーカ接続コネクタ７Ｃが本体部分Ｂ側の一対のスピーカ接続コネクタ７Ｄに着脱自在に接続されると共に、着脱部分Ａ側の電源部接続コネクタ１１Ｃが本体部分Ｂ側の電源部接続コネクタ１１Ｄに対し、ピンとソケットの嵌合によりクリック感をもって着脱自在に接続されることで、操作グリップ１の本体部分Ｂに着脱部分Ａが一体化される（図２１参照）。
【００７６】
この第１１実施形態の放射線検出器によれば、操作グリップ１の着脱部分Ａごと音声出力部７を取り外した状態でＥＯＧ等の滅菌ガスによる滅菌処理を行うことができるため、音声出力部７のスピーカ７Ａが耐圧容器内の陰圧により破損する事態を未然に防止することができる。
【００７７】
また、バッテリー３Ａに代えて外部電源を使用するため、放射線検出器を交換することなく長時間に亘って使用することができる。
【００７８】
第１２実施形態に係る放射線検出器は、電源スイッチ部４を本体としての操作グリップ１に対して着脱自在に構成されたものである。この放射線検出器は、図２３に示すように、第８実施形態の放射線検出器（図１５、図１６参照）における着脱部分Ａのうち、音声出力部７を収容したグリップエンド部１Ａの上部を本体部分Ｂとして操作グリップ１の基端部に一体に形成したものであり、電源スイッチ部４を収容したグリップエンド部１Ａの下部のみが着脱部分Ａとされている。この着脱部分Ａであるグリップエンド部１Ａの下部が接合されるグリップボディ下部１Ｂの端面には、電源部３のバッテリー３Ａの両極に接続された電源部接続コネクタ３Ｍ，３Ｎが上下に配設されている。
【００７９】
この第１２実施形態に係る放射線検出器においては、本体部分Ｂであるグリップボディ下部１Ｂ側の電源部接続コネクタ３Ｍ，３Ｎに対し、着脱部分Ａであるグリップエンド部１Ａの下部側のスイッチ接続コネクタ４Ｃ，４Ｅがそれぞれ接続されることで、操作グリップ１の本体部分Ｂに着脱部分Ａが一体化される。
【００８０】
この第１２実施形態に係る放射線検出器によれば、本体部分Ｂ側のグリップボディ下部１Ｂから着脱部分Ａ側の電源スイッチ部４を取り外した状態でＥＯＧ等の滅菌ガスによる滅菌処理を行うことができるため、耐圧容器内の陰圧により電源スイッチ４Ａの隙間からＥＯＧ等の滅菌ガスが本体部分Ｂ内に浸入する事態を未然に防止することができる。
【００８１】
第１３実施形態に係る放射線検出器は、電源スイッチ部４と電源部３との一体部品が本体としての操作グリップ１に対して着脱自在に構成されたものである。この放射線検出器は、図２４に示すように、第１実施形態の放射線検出器（図１、図２参照）における着脱部分Ａのうち、音声出力部７を収容したグリップエンド部１Ａの上部を本体部分Ｂとして操作グリップ１の基端部に一体に形成したものであり、電源部３を収容したグリップボディ下部１Ｂと、電源スイッチ部４を収容したグリップエンド部１Ａの下部とが一体に成形された部分が着脱部分Ａとされている。
【００８２】
この第１３実施形態に係る放射線検出器においては、本体部分Ｂ側の電源部接続コネクタ３Ｄに対し、着脱部分Ａ側の電源部接続コネクタ３Ｃが接続されることで、操作グリップ１の本体部分Ｂに着脱部分Ａが一体化される。
【００８３】
この第１３実施形態に係る放射線検出器によれば、操作グリップ１の着脱部分Ａごと電源スイッチ部４および電源部３を取り外した状態でＥＯＧ等の滅菌ガスによる滅菌処理を行うことができるため、耐圧容器内の陰圧により電源スイッチ４Ａの隙間からＥＯＧ等の滅菌ガスが本体部分Ｂ内に浸入する事態を未然に防止することができる。
【００８４】
また、電源部３を密封構造とする必要がないため、密封下での使用が禁じられているニッケル水素電池などをバッテリー３Ａとして使用することができる。そして、バッテリー３Ａを含む電源部３を着脱部分Ａごと交換することができるため、放射線検出器の全体を交換することなく長時間に亘って使用することができる。
【００８５】
第１４実施形態に係る放射線検出器は、放射線検出プローブ２（放射線検出部）の検出感度を変更可能な検出感度可変部と、放射線検出プローブ２（放射線検出部）により検出された放射線強度を表示する音声出力部７の音声表示や液晶表示部６の画像表示を変更可能な表示可変部とが本体としての操作グリップ１に対して着脱自在に構成されたものである。この放射線検出器は、第８実施形態の放射線検出器（図１５、図１６参照）と同様に操作グリップ１のグリップエンド部１Ａのみを着脱部分Ａとしたものであるが、電源スイッチ部４（図１６参照）に代わる電源スイッチ部８が操作グリップ１の本体部分Ｂにおける液晶表示部６の後方に配設されている。また、音声出力部７は、グリップエンド部１Ａが接合される操作グリップ１の端部に配設されている。
【００８６】
ここで、着脱部分Ａであるグリップエンド部１Ａには、放射線検出プローブ２（放射線検出部）の検出感度を変更可能な検出感度可変部を構成する検出感度可変つまみ１２と、検出された放射線強度の表示するスピーカ７Ａの音量を変更可能な表示可変部を構成する音量可変つまみ１３とが付設されている。そして、これらの検出感度可変つまみ１２および音量可変つまみ１３に接続される接続コネクタ１４がグリップエンド部１Ａの前端面に配設され、この接続コネクタ１４に着脱自在に接続される接続コネクタ１５が本体部分Ｂである操作グリップ１のグリップボディ下部１Ｂの後端面に配設されている。
【００８７】
この第１４実施形態に係る放射線検出器においては、本体部分Ｂ側の接続コネクタ１５に対し、着脱部分Ａ側の接続コネクタ１４が接続されることで、操作グリップ１の本体部分Ｂに着脱部分Ａが一体化される。
【００８８】
この第１４実施形態に係る放射線検出器によれば、操作グリップ１の着脱部分Ａであるグリップエンド部１Ａごと検出感度可変つまみ１２および音量可変つまみ１３を取り外した状態でＥＯＧ等の滅菌ガスによる滅菌処理を行うことができるため、耐圧容器内の陰圧により検出感度可変つまみ１２や音量可変つまみ１３の隙間からＥＯＧ等の滅菌ガスが本体部分Ｂ内に浸入する事態を未然に防止することができる。
【００８９】
以上説明した実施形態の放射線検出器は、医療用のサージカルプローブとして構成されているが、本発明の放射線検出器の使用目的はこれに限定されるものではなく、広い用途で使用される。
【００９０】
【発明の効果】
以上説明したように、本発明に係る放射線検出器によれば、本体から音声出力部を取り外すことで、音声出力部を除いた本体および放射線検出部のみをＥＯＧ等の滅菌ガスで滅菌処理することが可能となり、ＥＯＧ等の滅菌ガスによる滅菌処理に際して音声出力部の陰圧に起因する破損を未然に防止することができ、その結果、放射線検出器の本体の密封性が損なわれる事態を未然に防止することができる。
【図面の簡単な説明】
【図１】本発明の第１実施形態に係る放射線検出器の概略構造を示す縦断面図である。
【図２】図１に示した放射線検出器の作用を示す分解図である。
【図３】第２実施形態に係る放射線検出器の概略構造を示す縦断面図である。
【図４】図３に示した放射線検出器の作用を示す分解図である。
【図５】第３実施形態に係る放射線検出器の概略構造を示す縦断面図である。
【図６】図５に示した放射線検出器の作用を示す分解図である。
【図７】第４実施形態に係る放射線検出器の概略構造を示す縦断面図である。
【図８】図７に示した放射線検出器の作用を示す分解図である。
【図９】第５実施形態に係る放射線検出器の概略構造を示す縦断面図である。
【図１０】図９に示した放射線検出器の作用を示す分解図である。
【図１１】第６実施形態に係る放射線検出器の概略構造を示す縦断面図である。
【図１２】図１１に示した放射線検出器の作用を示す分解図である。
【図１３】第７実施形態に係る放射線検出器の概略構造を示す縦断面図である。
【図１４】図１３に示した放射線検出器の作用を示す分解図である。
【図１５】第８実施形態に係る放射線検出器の概略構造を示す縦断面図である。
【図１６】図１５に示した放射線検出器の作用を示す分解図である。
【図１７】第９実施形態に係る放射線検出器の概略構造を示す縦断面図である。
【図１８】図１７に示した放射線検出器の作用を示す分解図である。
【図１９】第１０実施形態に係る放射線検出器の概略構造を示す縦断面図である。
【図２０】図１９に示した放射線検出器の作用を示す分解図である。
【図２１】第１１実施形態に係る放射線検出器の概略構造を示す縦断面図である。
【図２２】図２１に示した放射線検出器の作用を示す分解図である。
【図２３】第１２実施形態に係る放射線検出器の概略構造を分解して示す縦断面図である。
【図２４】第１３実施形態に係る放射線検出器の概略構造を分解して示す縦断面図である。
【図２５】第１４実施形態に係る放射線検出器の概略構造を分解して示す縦断面図である。
【符号の説明】
１…操作グリップ、１Ａ…グリップエンド部、１Ｂ…グリップボディ下部、１Ｃ…開口部、１Ｄ…バッテリーカバー、２…放射線検出プローブ、３…電源部、３Ａ…バッテリー、３Ｂ…リード線、３Ｃ…電源部接続コネクタ、４…電源スイッチ部、４Ａ…電源スイッチ、４Ｃ…スイッチ接続コネクタ、４Ｅ…スイッチ接続コネクタ、４Ｆ…スイッチ接続コネクタ、５…制御部、６…液晶表示部、６Ａ…液晶パネル、７…音声出力部、７Ａ…スピーカ、…スピーカ接続コネクタ７Ｃ、７Ｄ…スピーカ接続コネクタ、８…電源スイッチ部、９…止ネジ、１０…止ネジ、１１…外部電源供給ケーブル、１１Ａ…外部電源接続コネクタ、１１Ｃ…電源部接続コネクタ、１１Ｄ…電源部接続コネクタ、１２…検出感度可変つまみ、１３…音量可変つまみ。
【図１】
2004109096.tif 000003
【図２】
2004109096.tif 000004
【図３】
2004109096.tif 000005
【図４】
2004109096.tif 000006
【図５】
2004109096.tif 000007
【図６】
2004109096.tif 000008
【図７】
2004109096.tif 000009
【図８】
2004109096.tif 000010
【図９】
2004109096.tif 000011
【図１０】
2004109096.tif 000012
【図１１】
2004109096.tif 000013
【図１２】
2004109096.tif 000014
【図１３】
2004109096.tif 000015
【図１４】
2004109096.tif 000016
【図１５】
2004109096.tif 000017
【図１６】
2004109096.tif 000018
【図１７】
2004109096.tif 000019
【図１８】
2004109096.tif 000020
【図１９】
2004109096.tif 000021
【図２０】
2004109096.tif 000022
【図２１】
2004109096.tif 000023
【図２２】
2004109096.tif 000024
【図２３】
2004109096.tif 000025
【図２４】
2004109096.tif 000026
【図２５】
2004109096.tif 000027